【手続補正書】
【提出日】平成19年1月30日(2007.1.30)
【手続補正１】
【補正対象書類名】明細書
【補正対象項目名】全文
【補正方法】変更
【補正の内容】
【書類名】        明細書
【発明の名称】蒸留装置及びその使用方法
【特許請求の範囲】
【請求項１】  熱源にて物質を気化させ冷却、液体とし、超音波を施す事を特徴とする蒸留装置。
【請求項２】  液体にオゾンを施す事を特徴とする請求項１記載の蒸留装置。
【請求項３】  分子重合を安定さすために近赤外線を用いる事を特徴とする請求項１、２記載の蒸留装置。
【請求項４】  請求項１から３を用いて成る事を特徴とする蒸留装置の使用方法で、液体に含まれる各種ガスを取り去り、脱臭、活性化し安定した液体の使用方法を提供する。
【発明の詳細な説明】
【０００１】
【発明の属する技術分野】
本発明は、蒸留装置及びその装置の使用方法に関する。
【０００２】
【従来の技術】
従来の蒸留装置には、蒸留、精留、棚段塔、充填塔等が有る。
【０００３】
【発明が解決しょうとする課題】
従来の蒸留装置においては、蒸留物が気化し冷却する際に蒸気に含まれる各種ガスを取り除くのは難しかった。さらに、脱臭、活性化し安定した状態にできないか。
【０００４】
【課題を解決するための手段】
本発明の請求項１において、蒸留装置で物質を蒸留した後に超音波を用いてガスを取り除くという技術的手段を講じている。請求項２では、オゾンを用い液体内の臭いを除去すると言う技術的手段を講じている。請求項３では更に近赤外線を用いる事で蒸留物の分子重合を活性化し安定させるという技術的手段を講じている。請求項４においては、請求項１から３の装置を用いた方法である。
【０００５】
【発明の実施の形態】
本発明の実施の形態を図面を参照して説明する。図１において、請求項１では、熱源（１）にて物質（２）を蒸気（８）にし冷却（７）する事で液体（３）にする。これを超音波（４）にて振動させる事で重合を切断し、分子重合内に抱え込まれた各種ガス（５）を気泡にして抜くものである。
【０００６】
図２において、請求項２では、熱源（１）にて物質（２）を蒸気（８）にし、冷却（７）し液体（３）にした物に、オゾン（９）を施す事で液体（３）の脱臭をする、これに超音波（４）を施しガスを抜くものである。
【０００７】
図２において、請求項３では、ガスを抜き液体分子重合体の密度が増した液体（３）に、近赤外線（６）を照射する事で、液体（３）の原子、分子のイオン変動で励起させ活性化し、さらに、分子重合を小さい分子重合に安定させるものである。
【０００８】
【実施例】
以下に、この発明の好適実施例について図面を参照しつつ説明する。請求項１において、図１に示すように熱源（１）、この発明で熱源とは、地熱からゴミ焼却の排熱まで広くさし、物質（２）とは、熱により気化するすべてを言い、液体（３）とは気化し冷やすと、又は、冷やす過程で液体となるもの、及び、温度に関係なく上記の請求項１から４までの処理を行う時に液体のものをいう。
【０００９】
物質（２）を熱源で気化させ冷却し、液体状にした液体を、超音波振動させる事で液体の原子、分子を振動、励起させ、分子重合を切り離し、分子重合体に抱え込まれた各種ガスを除去し短時間に密度の濃い状態にする。
【００１０】
一例をあげると、原油の場合、分留塔等で気化させ、ガソリン、灯油、重油、燃料油さらにこれらを原料とした素材等の液体を、超音波にて振動させる事で分子重合を切り離し中の各種ガスを除去する。ガスが抜けた蒸留物は、密度が増す。
【００１１】
図２において、請求項２の発明では、物質を蒸留した場合、できた液体にオゾンを施す事で脱臭し、その後超音波を施し各種ガスを抜く。実施例では、河川の水又は海水を用いて、これをゴミ焼却炉の排熱を用いて蒸気にし冷却し、液体、ここでは蒸留水にする。しかし、河川の水や海水を蒸発させ冷却し液体に戻した時、蒸気と混じり合った各種ガス、この例の場合、工場から排出される亜硫酸ガス、自動車の排気ガスの二酸化炭素、炭酸ガス、酸素等を取り除くのは難しく、蒸気が冷やされ蒸留水として水分子の分子重合体が形成される過程で、水の分子重合内にこれらのガス及び臭い成分も一緒に抱え込んでしまう。これらを除去するためにオゾンを施す事で脱臭し、さらに、各種ガスを除去するために、超音波 振動させる事で蒸留水分子重合体の結合を切り、各種ガスを気泡として蒸留水から取り去る。
【００１２】
図２において、請求項３の発明で水に近赤外線を用いるとは、近赤外線は０、７〜２０ミクロンの電磁波で、その中でも４〜１４ミクロンの範囲の電磁波が、水の原子、分子を励起させ、分子構造が小さい分子重合体に安定させることである。これを詳しく説明すると、この水は、動植物の細胞内液に近い構造の水で、動植物の細胞の活性化を促すものである。これは、光が物体に吸収される吸収係数が赤外線と紫外線の一部の周波数帯で高くなるが、この紫外線の領域は、水に照射されると水分子が励起され分子重合が切断され、さらに、活性酸素の中でも最も強力な一重酸素ができる。これが基底状態に戻る時に水分子の小さな輪が集まって水の大きなクラスターを作り、そのクラスターの形が変わる時に、生体に対する影響も同時に変わる。紫外線励起した水は基底状態に於いても、生体に悪い影響を及ぼし、心臓の鼓動が早く成る、めまい、不正脈等が起こる。これは振動磁場を与えた水でも起こる事で、飲むと、心臓の鼓動が早くなったり、神経過敏、耳鳴りが現われる。超音波は、この結合を短時間で確実に切断することができる方法である。これに、近赤外線を施す、この周波数も物体の吸収係数が高く、物体に吸収されると、物体を構成している原子、分子の中に入って行き、強力な励起状態となる。吸収波長は、  ２９７８（地球上の分子量の平均）÷２７３（絶対温度）＋物体の温度＝吸収波長あり、飲料水の場合は水の温度と成り、２０度の水は１０、１９ミクロンの電磁波を吸収し、、吸収されると、それを放射することができる。すなわち、動植物の原子、分子、細胞を刺激し、励起状態にさせて細胞を活性化させることができる。この水に、微量要素、ミネラル成分及び各種ガス、酸素、炭酸ガス等を加える事で希望のミネラルウオーター、各種飲料を作ることができる。この場合は、オゾン処理した蒸留水又は液体に、各種の添加物を入れた後に超音波処理、近赤外線処理を行い、必要であればその後に各種のガスを添加ものである。
【００１３】
図１、２において、請求項４では、この装置を用いた各種使用方法であり、上記の処理水を用い、酒作りを行えば、発酵が促進され、非常に美味しいものに仕上がる。さらに、酒作りの最後の工程で超音波にて処理し、さらに近赤外線で処理する事で、まろやかな、熟成された酒に仕上げることができる。
【００１４】
上記記載時項の他に、固体でも一定温度で液体であれば上記方法が適用でき、その後に固体にする事で高密度の固体が出来上がる。その他、蒸留をしなくても超音波処理の時に液体であれば上記記載事項に準ずる。また、オゾン処理は脱臭を必要としなければ省略してもかまわないし、必要な部分を数々組合せて使用する事もできる。
【００１５】
請求項３の装置では、図２参照、上記記載時項に加え、超音波 の強力なエネルギーで短時間に分子重合を切断された分子は、その後分子の重合が大きな重合体にもどり、比重の軽いものになってしまう。この事を防ぐために、さらに近赤外線 を照射する事で分子重合の小さな密度の濃い、比重の重い状態で安定した液体 にするものである。近赤外線 だけでも液体 の分子を励起させる事はできるが、分子重合を切断し各種ガス を抜くには時間が掛かる。この事は各種油脂類に於いても言えることで、植物油脂、動物油脂の場合、植物油、魚油等は不飽和脂肪酸が多く、動物性油脂は飽和脂肪酸が多いが、これらの油脂も、超音波処理、近赤外線処理を行なう事で、脂肪の重結合を切断し、飽和脂肪酸に安定させることができる特徴がある。
【００１６】
変化例として、蒸留酒の製造工程に当てはめると、蒸留し調合後に、これを超音波振動させ、分子重合内の余分なガスを抜くと共に分子重合を切断、その後、近赤外線処理する事で、分子重合体の小さな、アルコールを水分子を水分子が綺麗に抱え込んだ状態の美味しい、円やかな酒にする事ができる。 
【００１７】
変化例として、この蒸留装置の一部、超音波と近赤外線を用いて、液体に各種処理を行なう事もできる。例を挙げれば、電磁気エネルギー、電磁波エネルギー、機械的エネルギー、放射エネルギー、音波エネルギー等を用いて処理した液体の動植物等に与える影響を断ち切る方法として、超音波で各種処理した液体の重合を切断し、近赤外線で原子、分子を励起させ、活性化し、安定させる事で、悪影響を回避する等の方法もある。その他、この発明の要旨を変更しない範囲での数々の組合せ方法は変化すること勿論である。
【００１８】
【発明の効果】
本発明は、以上説明したとおりであって、以下に記載されるような効果を奏する。蒸留により不純物の無い液体をオゾン処理及び／又は超音波処理する事で臭いの無い及び／又は密度の高い液体、物体を短時間に作ることができる。さらに、近赤外線処理を施す事で、活性化し、小さな分子重合体の密度の高い状態で安定させる事ができる。さらに、この装置の組合せ、使用方法により各種の液体及び物体を処理できるものである。
【図面の簡単な説明】
【図１】  超音波を用いた蒸留装置の実施例を示す図である。
【図２】  オゾン、近赤外線を用いた実施例を示す図である。
【符号の説明】
１  熱源
２  物質
３  液体
４  超音波
５  各種ガス
６  近赤外
７  冷却
８  蒸気
９  オゾン